(57)【特許請求の範囲】
【請求項１】
複数の単位パネルを連結して構成した間仕切り用パネルにおいて、単位パネルを連窓する縦枠と、間仕切り用パネルの両側端を構成する端部縦枠とを、断面を略々リップ溝型に形成した同一構造の枠材で構成し、前記単位パネルを連窓する縦枠を、該縦枠の両端に形成した連結片を連結部材を介して連結することにより、２つの縦枠を対向して組み合わせて構成し、前記端部縦枠を、該縦枠の両端に形成した連結片を挿入する取付溝及び建家に取り付けるためのアンカーを備えた取付板を配備して構成したことを特徴とする間仕切り用パネル。
【請求項２】
複数の単位パネルを連結して構成した間仕切り用パネルにおいて、単位パネルを連窓する縦枠と、間仕切り用パネルの両側端を構成する端部縦枠とを、断面を略々リップ溝型に形成した同一構造の枠材で構成し、前記単位パネルを連窓する縦枠を、該縦枠の一方の先端に形成した連結部に、他方の先端に形成した挿入片を相互に挿入して連結することにより、２つの縦枠を対向して組み合わせて構成し、前記端部縦枠を、該縦枠内に沿う形状に曲げ加工により形成し、建家に取り付けるためのアンカーを備えた取付板を配備して構成したことを特徴とする間仕切り用パネル。
【発明の詳細な説明】
【０００１】
【発明の属する技術分野】
本発明は間仕切り用パネル、詳しくは多数の単位パネルを連窓した間仕切り用パネルの改良に関する。
【０００２】
【従来の技術】
従来の間仕切り用パネルの一例を図１３以下に示す。図において間仕切り用パネル５０は出入口扉部５１ａを備えた第１単位パネル５１と、ガラス戸５２ａを備えた複数の単位パネル５２、５２、５２とより構成され、各単位パネル相互間は方立５５により連結されている。なお、５６は間仕切り用パネル５０の両側を形成する縦枠を示す。
【０００３】
上記方立５５は図１４以下に示す如く、該方立を構成する縦枠部材５７、５７はスチール板を曲げ加工等により略々コ字状に屈曲形成したもので、両端の水平部分５７ａを重ね合わせ、ビス５８により結合したものである。
なお、両側の縦枠５６はスチール板を略々リップ溝型鋼状に屈曲成形し、アンカー６０を取付けた取付板６１をリップ５６ａに引っ掛けて建屋Ｗに固定するようにしたものである。図中６２はガラス戸に取付けられた戸当たりを示す。
【０００４】
【発明が解決しようとする課題】
上記従来の方立５５、縦枠５６は断面形状が上記の如く相違する。従ってその個数に過不足を生じた時、不足分は工場より追加補充する必要があり、その間手待ちを生ずる等の問題がある。
本発明は、かゝる点に鑑み、上記方立と縦枠とは同一形状として互換性を有せしめ、制作費の低下と作業能率の向上とを計ることを目的とする。
【０００５】
【課題を解決するための手段】
上記目的を達成するための第１の発明の間仕切り用パネルは、複数の単位パネルを連結して構成した間仕切り用パネルにおいて、単位パネルを連窓する縦枠と、間仕切り用パネルの両側端を構成する端部縦枠とを、断面を略々リップ溝型に形成した同一構造の枠材で構成し、前記単位パネルを連窓する縦枠を、該縦枠の両端に形成した連結片を連結部材を介して連結することにより、２つの縦枠を対向して組み合わせて構成し、前記端部縦枠を、該縦枠の両端に形成した連結片を挿入する取付溝及び建家に取り付けるためのアンカーを備えた取付板を配備して構成したことを特徴とする。
【０００６】
また、同じ目的を達成するための第２の発明の間仕切り用パネルは、複数の単位パネルを連結して構成した間仕切り用パネルにおいて、単位パネルを連窓する縦枠と、間仕切り用パネルの両側端を構成する端部縦枠とを、断面を略々リップ溝型に形成した同一構造の枠材で構成し、前記単位パネルを連窓する縦枠を、該縦枠の一方の先端に形成した連結部に、他方の先端に形成した挿入片を相互に挿入して連結することにより、２つの縦枠を対向して組み合わせて構成し、前記端部縦枠を、該縦枠内に沿う形状に曲げ加工により形成し、建家に取り付けるためのアンカーを備えた取付板を配備して構成したことを特徴とする。
【０００７】
上記の構成からなる本発明の間仕切り用パネルは、単位パネルを連窓する縦枠と、間仕切り用パネルの両側端を構成する端部縦枠とを、断面を略々リップ溝型に形成した同一構造の枠材で構成したことにより、縦枠の枠材はすべて共通であり、同一の型で制作することができる故、制作コストの低減と、互換性を有する故、現場での組み立て作業能率の向上を計ることができる。
【０００８】
【発明の実施の形態】
以下、本発明の実施の形態を図面に基づいて説明する。
【０００９】
図１乃至図４は第１実施例に関し、間仕切り用パネル１は周知構造と同様に多数の単位パネル２、２を組み合わせて構成したもので、間仕切り用パネル１の全容は図１３と同様であり、説明を省略する。ただし図１は図１４と同様に図１３におけるＸ−Ｘ線に沿った断面図で、３は端部縦枠、４は単位パネルを連窓する縦枠を、また５はガラス戸、６は戸当たりをそれぞれ示す。
【００１０】
上記縦枠３は例えば、スチール板を曲げ加工により断面略々リップ溝型鋼状で、かつリップ３ａの先端を内方に屈曲して連結片３ｂとしたもので、この縦枠３の建屋Ｗへの取付けに際しては、アンカー７をビス等で取付けた取付板８により取付ける。この取付板８はアルミ合金等の形材により形成したもので、該取付け板８は略々コ字状に形成したもので、上下両端に連結片３ｂを挿入する取付溝８ａと、必要により縦枠３の前面部に当接する抜け止め片８ｂとを設ける。縦枠３は取付板８と同様に材質をアルミ合金等とし、冷間引き抜きにより製造するのがこのましい。
【００１１】
縦枠４は上記縦枠３を利用して構成したもので、相対する縦枠３、３を連結部材１０により連結して構成する。この連結部材１０はアルミ合金の型材により略々Ｉ字状に形成したもので、上下の取付部１０ａ、１０ａには縦枠３の連結片３ｂを挿入する支持部１０ｂを形成し、これにより縦枠３、３を連結保持する。なお、組み立てに際しては、予め一方の縦枠３と連結部材１０とを結合し、他方の縦枠３は現場において組み立てる。
【００１２】
次に図７及び図８は、上記連結部材の変形例を示す。この縦枠１１の連結部材１２は現場における上記縦枠の取付けを容易にするようにしたもので、縦枠３の取付片３ｂを支持部１２ａへの挿入を容易にするための傾斜面１２ｂを形成する。これにより上記現場における縦枠の挿入は、上記傾斜面を利用して押し込むことにより取付片３ｂを支持部１２ａへの移行を容易に行うことができる。
【００１３】
次に図９乃至図１２は第２実施例を示す、前記各実施例は対をなす縦枠を連結部材により連結して縦枠を構成した例を示したが、本実施例は該連結部材を省略し縦枠相互を直接連結するようにしたものである。図９は図１と同様の間仕切り用パネル２０の断面図を示す。２１は単位パネル、２２は縦枠、２３は縦枠を示す。その他は前例と同一構造であり、同一部品は同一符号を付して説明を省略する。
【００１４】
縦枠２２は前例と同様にスチール板を曲げ加工により断面略々リップ溝型鋼状とし、一方のリップ２２ａの先端は内方にヘアピン状に屈曲して連結部２４ａとし、他方のリップ２２ｂの先端は外方に屈曲して上記連結部２４ａに挿入する挿入片２４ｂとしたものである。この場合も、縦枠２２の材質をアルミ合金等とし、冷間引き抜きにより製造してもよい。
【００１５】
縦枠２３は図１１に示す如く、２個の上記縦枠２２を上下反対として組み合わせ、一方の縦枠の挿入片２４ｂを他方の縦枠の連結部２４ａに挿入したものである。この場合、現場において簡単に組み立てることができる反面、簡単に分解することも可能であるが、各単位パネルを組み立てて間仕切り用パネル２０とした後は、抜け出す恐れはない。
【００１６】
なお、上記縦枠２２の建屋Ｗへの取付けに際しては、図１２に示す如くスチール板を縦枠内に沿った形状に曲げ加工により形成した取付板２５にアンカー２６を取付ける。
【００１７】
【発明の効果】
以上の如く本発明によるときは、単位パネルを連窓する縦枠と、間仕切り用パネルの両側端を構成する端部縦枠とを、断面を略々リップ溝型に形成した同一構造の枠材で構成したから、両者は同一製造工程で制作することができ、かつ互換性があり、組み立て現場において過不足を生ずる恐れはない。
また、縦枠の連結片を連結部材により連結することにより、容易に単位パネルを連窓する縦枠成形することができる。
また、枠材の挿入片を相対する枠材の連結部に挿入するのみで単位パネルを連窓する縦枠を構成することができ、上記連結部材を省略することができる。
【図面の簡単な説明】
【図１】図１乃至図８は本発明の間仕切り用パネルの第１実施例に関し、図１は要部の横断面図である。
【図２】縦枠の断面図である。
【図３】縦枠取付板の断面図である。
【図４】縦枠と取付板とを組み合わせた状態の断面図である。
【図５】縦枠の断面図である。
【図６】縦枠の連結部材の断面図である。
【図７】縦枠の他の実施例の断面図である。
【図８】図７に使用する連結部材の断面図である。
【図９】図９乃至図１２は第２実施例に関し、図９は要部の横断面図である。
【図１０】縦枠の断面図である。
【図１１】縦枠の断面図である。
【図１２】縦枠と取付板とを組み合わせた状態の断面図である。
【図１３】従来例の間仕切り用パネルの全体正面図である。
【図１４】図１３におけるＸ−Ｘ線に沿う断面図である。
【図１５】方立の断面図である。
【図１６】縦枠の断面図である。
【符号の説明】
１  間仕切り用パネル
２  単位パネル
３  縦枠
３ｂ  連結片
４  縦枠
８  取付板
１０  連結部材
１１  縦枠
１２  連結部材
２０  間仕切り用パネル
２１  単位パネル
２２  縦枠
２３  縦枠
２４ａ  連結部
２４ｂ  挿入片
【図１】
0003583712.tif 000002
【図２】
0003583712.tif 000003
【図３】
0003583712.tif 000004
【図４】
0003583712.tif 000005
【図５】
0003583712.tif 000006
【図６】
0003583712.tif 000007
【図７】
0003583712.tif 000008
【図８】
0003583712.tif 000009
【図９】
0003583712.tif 000010
【図１０】
0003583712.tif 000011
【図１１】
0003583712.tif 000012
【図１２】
0003583712.tif 000013
【図１３】
0003583712.tif 000014
【図１４】
0003583712.tif 000015
【図１５】
0003583712.tif 000016
【図１６】
0003583712.tif 000017